(57)【特許請求の範囲】
【請求項１】
複数段の抽斗を出し入れ可能に収納するキャビネット等のスチール家具において、スチール家具本体の内側に、鍵棒の操作により作動具を上下動することにより鍵板を上下動自在に縦設し、複数段の抽斗の数に合わせた複数個の傾斜溝カムを設けると共に、傾斜溝カムの各々に対応して、各抽斗に傾斜溝カムと係合する係合ピンを突設し、これにより１個の抽斗を引き出す時に、上記鍵板が他の抽斗を収納位置に係止する係止位置へと移動するようにし、作動具にくの字形または逆くの字形の穴または溝を形成し、この穴または溝に対向係合するように、前記鍵板中央部に固定軸で固定した逆くの字形またはくの字形の作動板の上方に設けた作動軸を設け、作動板の下方にはスプリングの一端を取り付け、このスプリングの他端は鍵板に固設し、作動板に設けた作動軸を介して前記穴または溝内を移動して鍵板を移動した際、係止位置を保持できるようにしたことを特徴とする抽斗の安全係止装置。
【発明の詳細な説明】
【０００１】
【発明の属する技術分野】
本発明は、キャビネット等のスチール家具における抽斗の安全係止装置に関し、更に詳しくは、１つの抽斗を引き出した時に、残りの抽斗を収納位置に係止するための安全係止装置に関するものである。
【０００２】
【従来の技術】
従来技術として、図６に示すように、複数段の抽斗を出し入れ可能に収納するキャビネット本体の内側に作動板１１を上下動自在に縦設し、上記作動板１１に複数個の傾斜溝カム１２を設けると共に、傾斜溝カム１２の各々に対応して各抽斗に傾斜溝カム１２と係合する係合ピンを突設し、これにより１個の抽斗を引き出す時に上記作動板１１が他の抽斗を収納位置に係止する係止位置へと移動するようにし、更にキャビネット本体内に上記作動板１１を係止位置に保持するキャッチ部材１３を設けたキャビネットにおける抽斗の安全係止装置において、上記キャッチ部材１３を上記作動板１１を係止位置に保持可能なキャッチ位置とその上方の離間位置とに上下動可能に設け、上記キャビネット本体には該キャッチ部材１３の位置を切り換える切換え操作部を外部より操作可能に設けたキャビネットにおける抽斗の安全係止装置（実用新案登録第２５７６４３７号公報参照）が知られている。
【０００３】
【発明が解決しようとする課題】
しかしながら、前記の実用新案登録第２５７６４３７号公報の従来技術には、キャビネットの運搬時等に全ての抽斗がキャビネット本体内に収納された状態でキャビネットの上下を反転させると、作動板が自重で係止解除位置から係止位置へと移動し得るが、キャッチ部材は作動板を係止位置に保持可能なキャッチ位置とその上方の離間位置とに上下動可能に設けられており、しかも、キャビネット本体にはキャッチ部材の位置を切り換える切換え操作部が外部より操作可能に設けられているので、切換え操作部を操作してキャッチ部材の位置を切り換えることにより、作動板とキャッチ部材との係脱を容易にコントロールすることができるものであるが、抽斗のセフティー機構の部材で鍵板を上下させ、保持するためにキャッチ部材を使用している。これは、必ず係止するためにキャッチ部材が必要であり、商品であるキャビネットによって変わる鍵板の重さに対応するには、数種類のキャッチ部材を用意する必要があり、また、商品によって変わる上下させる距離に対応するにも数種類のキャッチ部材を用意する必要があるという問題があった。
【０００４】
本発明は、これらの事情に鑑み、簡単な構成で、キャッチ部材を不要にし、上下させる鍵板の重さが商品によって変わってもスプリングの強さを変えることでどんな商品にも対応できる。また、上下させる距離（寸法）もくの字形の穴または溝の全体寸法を変えることによりどんな商品にも対応できる抽斗の安全係止装置を得ることを目的とするものである。
【０００５】
【課題を解決するための手段】
本発明は、前記課題を解決するために、複数段の抽斗を出し入れ可能に収納するキャビネット等のスチール家具において、スチール家具本体の内側に、鍵棒の操作により作動具を上下動することにより鍵板を上下動自在に縦設し、複数段の抽斗の数に合わせた複数個の傾斜溝カムを設けると共に、傾斜溝カムの各々に対応して、各抽斗に傾斜溝カムと係合する係合ピンを突設し、これにより１個の抽斗を引き出す時に、上記鍵板が他の抽斗を収納位置に係止する係止位置へと移動するようにし、作動具にくの字形または逆くの字形の穴または溝を形成し、この穴または溝に対向係合するように、前記鍵板中央部に固定軸で固定した逆くの字形またはくの字形の作動板の上方に設けた作動軸を設け、作動板の下方にはスプリングの一端を取り付け、このスプリングの他端は鍵板に固設し、作動板に設けた作動軸を介して前記穴または溝内を移動して鍵板を移動した際、係止位置を保持できるという技術手段を採用した。
【０００６】
【発明の実施の形態】
安全係止させる機構、すなわち作動部材を上下、左右動させ、それを上下または左右で一時的に係止保持させる機構を有する抽斗の安全係止装置である。
【０００７】
【実施例】
以下、本発明の一実施例を添付図面で説明する。
図１〜図４に基づいて本発明の抽斗の安全係止装置に関する一実施例について詳細に説明する。図１は本発明の抽斗の安全係止装置の要部を分解して示す斜視図で、最上部の抽斗の安全係止装置を示すものである。図２は図１で示した各部品を組み立てて鍵板を上部で固定したところを示す断面図、図３は図２に示すＡ−Ａ矢視図、図４は鍵板を下部で固定したところを示す正面図である。
【０００８】
例えば、図示していないが、上下２段の抽斗を出し入れ可能に収納したキャビネット本体１において、キャビネット本体１の内側には、作動具３の上下動により上下動する鍵板２が縦設されており、作動具３には、くの字形（図示したもの）または、逆くの字形の穴または溝４が形成されている。
【０００９】
この作動具３の穴または溝４に対向係合するように鍵板２に、中央部で固定軸７で固定した逆くの字形（図示したもの）または、くの字形の作動板５を設ける。そして、この作動板５の上方には、作動具３の穴または溝４に係合する作動軸６を設け、下方にはスプリング８の一端を取り付け、このスプリング８の他端は鍵板２に固設する。
【００１０】
以上のような構成により、図２、図３に示すように、くの字形の穴または溝４の上方に位置するように鍵板２がを上方に移動されると、鍵板２に固定軸７で固定された作動板５が上方に移動しようとして、作動板５の上方に設けられた作動軸６が作動具３のくの字形の穴または溝４を案内にして上部に移動する。すると、作動板５の下方に固設したスプリング８が引張され、バランスがとられてその位置に停止状態に維持される。従って、特に、キャッチ部材を用意しなくとも同様の機能を奏する。
【００１１】
また、鍵板２を下方に移動すると、前記スプリング８の引張力に抗して下げることにより、鍵板２に固設された作動板５を下方に移動することにより、作動軸６が作動具３のくの字形の穴または溝４を案内にして、下方に移動して図４の状態に維持されるものである。
【００１２】
次に、図５に基づいて、中間部での取付例を説明する。この中間部での取付例としては、前記実施例のように上部の取付例である図１で説明したものとの相違点は、図２に示すような作動具の形状が鍵棒９の挿入穴が必要ないので、図示のような断面略コ字形状の作動具１０で、その他の構成は、くの字形の穴または溝４が形成されているし、作動板５、作動軸６、固定軸７、スプリング８は前記実施例と同様に機能するように組み立てられるものである。
【００１３】
【発明の効果】
本発明は、以上の構成を採用した結果、次のような効果を得ることができる。
（１）キャッチ部材が不要であり、壊れにくい。
（２）上下させる鍵板の重さが商品によって変わってもスプリングの強さを変えることでどんな商品にも対応できる。
（３）上下させる距離（寸法）もくの字形の穴または溝の全体寸法を変えることによりどんな商品にも対応できる。
【図面の簡単な説明】
【図１】  本発明の一実施例における抽斗の安全係止装置の要部を示す分解斜視図である。
【図２】  図１で示した各部品を組み立て上部で固定した状態を示す要部断面図である。
【図３】  図２のＡ−Ａ矢視図である。
【図４】  図１で示した各部品を組み立て下部で固定した状態を示す要部正面図である。
【図５】  本発明の実施例における抽斗の安全係止装置を中間部に取り付けた実施例を示す要部斜視図である。
【図６】  従来例における部品分解斜視図である。
【符号の説明】
１・・・・キャビネット本体            ２・・・・鍵板
３・・・・作動具                      ４・・・・穴または溝
５・・・・作動板                      ６・・・・作動軸
７・・・・固定軸                      ８・・・・スプリング
９・・・・鍵棒                      １０・・・・略コ字形の作動具
１１・・・・作動板                    １２・・・・傾斜溝カム
１３・・・・キャッチ部材
【図１】
0004548881.tif 000002
【図２】
0004548881.tif 000003
【図３】
0004548881.tif 000004
【図４】
0004548881.tif 000005
【図５】
0004548881.tif 000006
【図６】
0004548881.tif 000007